(57)【特許請求の範囲】
【請求項１】
写真を撮影する撮影部と、
表示部と、
少なくとも１つの特別画像領域を含む複数の画像領域を有したシート画像フォームを記憶する記憶部と、
撮影された前記写真に基づく複数の一次画像の中から、前記特別画像領域に配置される特別一次画像の候補となる複数の特別一次画像候補を、前記表示部に表示させる制御部と、
前記表示部に表示された複数の特別一次画像候補の中から、前記特別一次画像を決定する特別一次画像決定部と、
前記決定された特別一次画像を、前記特別画像領域に配置したシート画像を生成する画像処理部と、
を備え、
前記撮影部は、複数の撮影画像形態を設定し、当該各撮影画像形態に基づいて前記写真を撮影し、
前記制御部は、前記複数の一次画像のうち、前記特別画像領域に適合する撮影画像形態を有する一次画像を、前記複数の特別一次画像候補として表示部に表示させる、写真撮影遊戯装置。
【請求項２】
前記画像処理部は、前記特別一次画像以外の一次画像を、前記特別画像領域以外の前記画像領域に配置した前記シート画像を生成する、請求項１に記載の写真撮影遊戯装置。
【請求項３】
前記記憶部には、複数種の前記シート画像フォームが記憶されており、
前記複数種のシート画像フォームの中から少なくとも一つのシート画像フォームを選択するシート画像フォーム選択部をさらに備え、
前記制御部は、前記複数の一次画像のうち、前記選択されたシート画像フォームに含まれる特別画像領域に適合する撮影画像形態を有する一次画像を、前記複数の特別一次画像候補として前記表示部に表示させ、
前記画像処理部は、前記決定された特別一次画像を、前記選択されたシート画像フォームにおける特別画像領域に配置したシート画像を生成する、請求項１または２に記載の写真撮影遊戯装置。
【請求項４】
前記複数の画像領域の中から前記特別画像領域を決定する、特別画像領域決定部をさらに備え、
前記制御部は、決定された前記特別画像領域に適合する前記撮影画像形態を有する前記一次画像を、前記表示部に表示させる、請求項１から３のいずれかに記載の写真撮影遊戯装置。
【請求項５】
前記複数の特別一次画像候補を決定する候補画像決定部をさらに備え、
前記候補画像決定部は、前記特別画像領域に対応するように、前記特別一次画像候補の表示形態を変更する画像処理を施し、
前記表示部は、前記画像処理が施された前記特別一次画像候補を表示する、請求項１に記載の写真撮影遊戯装置。
【請求項６】
前記特別一次画像決定部は、前記特別一次画像の選択を利用者から受け付ける入力部を備えている、請求項１から５のいずれかに記載の写真撮影遊戯装置。
【請求項７】
複数の撮影画像形態を設定し、当該各撮影画像形態に基づいて、写真を撮影するステップと、
少なくとも１つの特別画像領域を含む複数の画像領域を有するシート画像フォームを設定するステップと、
撮影された前記写真に基づく一次画像の中から、前記特別画像領域に配置される特別一次画像の候補となる複数の特別一次画像候補を表示部に表示させるステップであって、複数の前記一次画像のうち、前記特別画像領域に適合する撮影画像形態を有する一次画像を、前記複数の特別一次画像候補として表示部に表示させるステップと、
前記表示された複数の特別一次画像候補の中から、前記シート画像フォームの特別画像領域に表示すべき特別一次画像を決定するステップと、
前記決定された特別一次画像を、前記特別画像領域に配置したシート画像を生成するステップと、
を備えている、画像生成方法。
【請求項８】
コンピュータに、
複数の撮影画像形態を設定し、当該各撮影画像形態に基づいて、写真を撮影するステップと、
少なくとも１つの特別画像領域を含む複数の画像領域を有するシート画像フォームを設定するステップと、
撮影された前記写真に基づく一次画像の中から、前記特別画像領域に配置される特別一次画像の候補となる複数の特別一次画像候補を表示部に表示させるステップであって、複数の前記一次画像のうち、前記特別画像領域に適合する撮影画像形態を有する一次画像を、前記複数の特別一次画像候補として表示部に表示させるステップと、
前記表示された複数の特別一次画像候補の中から、前記シート画像フォームの特別画像領域に表示すべき特別一次画像を決定するステップと、
前記決定された特別一次画像を、前記特別画像領域に配置したシート画像を生成するステップと、
を実行させる、画像生成プログラム。
【発明の詳細な説明】
【技術分野】
【０００１】
本発明は、写真撮影遊戯装置、画像生成方法、及び画像生成プログラムに関する。
【背景技術】
【０００２】
従来より、利用者を含む被写体をカメラで撮影し、その撮影画像を印刷写真として出力する遊戯用の写真撮影遊戯装置が知られている。このような写真撮影遊戯装置では、利用者の嗜好に応じて、撮影画像を編集できるものが多く提案されている。例えば、背景画像や前景画像を複数の中から選択して撮影画像に組み合わせるたり、或いは、タッチペンを用いて、撮影画像に対して文字や絵を自由に描いたりできるように構成されているものがある（例えば、特許文献１）。
【先行技術文献】
【特許文献】
【０００３】
【特許文献１】特許第４６７２９２３号公報
【発明の概要】
【発明が解決しようとする課題】
【０００４】
ところで、上記のような写真撮影遊戯装置では、撮影された写真を予め決定されているレイアウトで写真シートに割り当てた上で、印刷等の出力を行うようになっている。したがって、写真シートに配置する写真については利用者による選択の余地はなく、もっぱら装置が決定するため、遊戯性が低いものとなっていた。その一方で、例えば、すべての写真の選択を利用者に委ねると、写真シートの出力までに長い時間を要することになり、効率的ではなかった。
【０００５】
本発明は、上記問題を解決するためになされたものであり、写真がレイアウトされたシートを作成するに当たって、写真選択の余地を高めて遊戯性を向上する一方、このようなシートの作成を効率化することが可能な写真撮影遊戯装置、画像生成方法、及び画像生成プログラムを提供することを目的とする。
【課題を解決するための手段】
【０００６】
本発明に係る他の写真撮影遊戯装置は、写真を撮影する撮影部と、表示部と、少なくとも１つの特別画像領域を含む複数の画像領域を有したシート画像フォームを記憶する記憶部と、撮影された前記写真に基づく複数の一次画像の中から、前記特別画像領域に配置される特別一次画像の候補となる複数の特別一次画像候補を前記表示部に表示させる制御部と、前記表示部に表示された複数の特別一次画像候補の中から、前記特別一次画像を決定する特別一次画像決定部と、前記決定された特別一次画像を、前記特別画像領域に配置した初期シート画像を生成する画像処理部と、を備えている。
【０００７】
この構成によれば、撮影された写真に基づく複数の一次画像をシート画像フォームに配置して、初期シート画像を生成するに当たり、シート画像フォームの中の特別画像領域に配置すべき特別一次画像を、複数の特別一次画像候補の中から決定するように構成されている。すなわち、シート画像フォームに特別画像領域を設定し、この領域に配置すべき一次画像については、選択の余地を残しているため、遊戯性を向上することができる。その一方で、すべての一次画像の中から選択を行うのではなく、特別画像領域に配置すべき画像の候補を制限しているため、初期シート画像を生成する時間を短縮することができる。その結果、初期シート画像の作成処理を効率化することができる。なお、一次画像とは、撮影された写真の画像自体または何らかの画像処理がなされた画像であってもよく、要するに、シート画像フォームに配置される画像であればよい。また、初期シート画像は、少なくとも特別画像領域に画像が配置されたものであるが、他の一次画像が特別画像領域外の画像領域に配置されたものであってもよい。すなわち、初期シート画像とは、編集が行われる前の、一次画像が配置されたシート画像である。
【０００８】
また、本発明に係る画像生成方法は、写真を撮影するステップと、少なくとも１つの特別画像領域を含む複数の画像領域を有するシート画像フォームを設定するステップと、撮影された前記写真に基づく一次画像の中から、前記特別画像領域に配置される特別一次画像の候補となる複数の特別一次画像候補を表示部に表示させるステップと、前記表示された複数の一次画像候補の中から、前記画像シートフォームの特別画像領域に表示すべき特別一次画像を決定するステップと、前記決定された特別一次画像を、前記特別撮影画像形態に基づいて、前記特別画像領域に配置した初期シート画像を生成するステップと、を備えている。
【０００９】
また、本発明に係る画像生成プログラムは、コンピュータに、写真を撮影するステップと、少なくとも１つの特別画像領域を含む複数の画像領域を有するシート画像フォームを設定するステップと、撮影された前記写真に基づく一次画像の中から、前記特別画像領域に配置される特別一次画像の候補となる複数の特別一次画像候補を表示部に表示させるステップと、前記表示された複数の一次画像候補の中から、前記画像シートフォームの特別画像領域に表示すべき特別一次画像を決定するステップと、前記決定された特別一次画像を、前記特別撮影画像形態に基づいて、前記特別画像領域に配置した初期シート画像を生成するステップと、を実行させる。
【発明の効果】
【００１０】
本発明によれば、写真がレイアウトされたシートを作成するに当たって、写真選択の余地を高め、遊戯性を向上する一方、このようなシートの作成を効率化することができる。
【図面の簡単な説明】
【００１１】
【図１】本発明の一実施形態に係る画像データ提供システムの概略構成図である。
【図２】撮影部の正面図である。
【図３】写真撮影遊戯装置の要部を機能面から見た構成を示すブロック図である。
【図４】編集操作用タッチパネルに表示される撮影画像編集用画面を示す模式図である。
【図５】編集操作用タッチパネルに表示されるシート画像編集用画面を示す模式図である。
【図６】編集に用いるパレットの一例を示す図である。
【図７】輪郭用装飾画像が付加された撮影画像の一例を示す図である。
【図８】編集に用いるパレットの一例を示す図である。
【図９】装飾画像が付加された撮影画像の一例を示す図である。
【図１０】装飾画像の描画の例を示す図である。
【図１１】撮影部の処理を示すフローチャートである。
【図１２】撮影操作用タッチパネルの画面の例である。
【図１３】撮影操作用タッチパネルの画面の例である。
【図１４】編集部の処理を示すフローチャートである。
【図１５】シート画像の一例を示すである。
【図１６】輪郭用装飾画像の付加の例を示す図である。
【発明を実施するための形態】
【００１２】
以下、本発明に係る写真撮影遊戯装置の一実施形態について、図面を参照しつつ説明する。本実施形態に係る写真撮影遊戯装置は、特に、複数の撮影画像を所定の位置に配置した写真シート（図１５（ａ）に例示）を印刷したり、これを電子データとして出力するものである。図１は、本実施形態に係る写真撮影遊戯装置の外観を示す側面図である。以下では、まず、この写真撮影遊戯装置の全体構成について説明する。
【００１３】
＜１．全体構成＞
図１に示すように、この写真撮影遊戯装置１００は、利用者Ｕが入る撮影室１０１を備えており、この撮影室１０１には、利用者Ｕを撮影して撮影画像を取得する撮影部１０２が取り付けられている。そして、撮影室１０１の外部には、撮影部１０２に隣接して編集部１０３が設けられている。この編集部１０３は、撮影画像に対する利用者による落書きなどの編集操作を受け付け、撮影画像を編集した編集画像を生成するものである。そして、編集部１０３には、編集画像を出力する出力部１０４が隣接している。
【００１４】
次に、撮影室１０１について、図２も参照しつつ説明する。図２は撮影部１０２の正面図である。図１及び図２に示すように、撮影室１０１の内部には、撮影部１０２が配置されており、撮影室１０１の内部に入る利用者から見て後ろの面である背面にはクロマキー処理のための単一の色（例えば、青色または緑色）が付されている。すなわち、利用者が被写体となる場合には、単一色を背景として撮影される。また、撮影部１０２には、利用者を撮影するカメラ１１０が設けられ、その下方には、利用者からの操作の受け付けや撮影画像の表示等を行う撮影操作用タッチパネル１２０が設けられている。カメラ１０の上下左右には、利用者に向かって閃光を発する４つのストロボ１１１，１１２，１１３Ｌ，１１３Ｒが設けられており、下方のストロボの下側には、さらにもう一つのストロボ１１４が設けられている。また、このストロボ１１４の右側には、コイン投入口１２６が設けられている。
【００１５】
上記のように撮影部１０２で撮影した撮影画像は、編集部１０３において編集される。図１に示すように、編集部１０３には、編集操作用タッチパネル（表示部）４００が設けられており、このタッチパネル４００に表示された撮影画像に対し、例えば、文字、模様、図形などのいわゆる落書きを、タッチペン４９Ｌ，４９Ｒなどの入力デバイスで入力する。これにより、撮影画像に、落書きが重ね合わされた画像が生成される。画像の編集については、後述する。こうして生成された画像に基づく画像データは、出力部１０４へ送信される。
【００１６】
次に、出力部１０４について説明する。図１に示すように、出力部１０４には、編集画像を印刷するネットワークプリンタ１３５、編集画像データを携帯端末３００に送信するための非接触通信部１３２、出力操作用タッチパネル１３１、及び、ネットワークＮＷを通じて画像データを画像蓄積サーバ（不図示）に送信する公知のアップロードルータ（図示省略）が設けられている。ネットワークプリンタ１３５は、利用者の操作に基づき、編集画像データから写真を印刷するものである。このとき、写真が印刷された台紙には、プレイ日時（すなわち撮影された年、月、日、および時刻）を示すデータ、及びこの編集画像データを識別するための識別番号が印刷される。印刷された写真シール等は、出力部１０４の正面下方に設けられた取出口１４０から取り出される。また、編集画像データは、非接触通信部１３２を介して、携帯端末に送信することもできる。なお、識別番号は、画像データとともに上述の画像蓄積サーバに送信され、画像データと対応付けられて記憶される。これにより、識別番号を知っている利用者のみが、携帯電話で画像蓄積サーバにアクセスし、当該識別番号に対応する画像データを取得することができる。
【００１７】
＜２．写真撮影遊戯装置の機能的構成＞
次に、写真撮影遊戯装置の機能的構成について、図３を参照しつつ説明する。図３は、この装置の要部を機能面から見た構成を示すブロック図である。同図に示すように、この写真撮影遊戯装置は、機能的には、３つの処理部、つまり撮影処理部７、編集処理部８、及び出力処理部９で構成されている。撮影処理部７は、主として利用者を撮影する処理を行うものである。編集処理部８は、主として編集対象画像に対する利用者の編集操作に応じて当該編集対象画像の編集処理を行うものである。そして、出力処理部９は、編集対象画像に編集処理を施した編集画像を写真シール等として出力したり、作成された編集画像等を非接触通信を利用して携帯電話端末に出力したり、編集画像等を画像蓄積サーバに送信する処理を行うものである。これらの処理部７、８、９は、後述するように、ネットワークアダプタである第１、第２および第３の通信部７５，８３，９５をそれぞれ有しており、これらの通信部７５，８３，９５が、ＬＡＮ（Local Area Network）であるネットワーク６を介してそれぞれ相互に通信可能となっている。以下、各処理部について、詳細に説明する。
【００１８】
まず、撮影処理部７について説明する。撮影処理部７は、第１制御部７０を備えている。この制御部７０は、公知のＣＰＵ、メモリ、フレームバッファ、タイマー、補助記憶装置等を含むコンピュータにより構成されている。メモリは、記憶部として、各種プログラムや、画像データなどが保存する。そして、メモリに格納された所定のプログラムをＣＰＵが実行することにより、各部の制御が行われる。また、この制御部７０には、カメラ１１０、撮影操作用タッチパネル１２０、及び第１通信部７５が電気的に接続されている。カメラ１１０は、リアルタイムに画像を取り込んで当該画像を表す画像信号を出力する。この画像信号は第１制御部７０に入力されて、その内部のメモリに一時的に記憶されるとともに、撮影操作用タッチパネル７２に供給され、当該画像信号に基づく撮影画像がリアルタイムに表示される。なお、実際には、撮影画像として保存される撮影画像データは高解像度の静止画データであり、リアルタイム表示を行うための撮影画像データ（「スルー画像データ」とも呼ばれる）は低解像度の動画データである。上記制御部７０は、これら画像データを画像処理する画像処理部としても機能し、撮影操作用タッチパネル１２０に表示された画像をトリミングして抽出するような処理などが行われる。
【００１９】
具体的には、タッチパネル１２０に、トリミング用の撮影フレームを表示し、このフレーム内にある画像をトリミングし、撮影画像データとして保存する。但し、タッチパネル１２０のフレーム内にある画像と、トリミングされた撮影画像データの画像とは、必ずしも完全に一致していなくてもよく、例えば、撮影画像データの画像がフレーム内の画像よりも若干大きい場合、またはその反対であってもよい。本実施形態では、後述するように３種類の撮影フレームを表示し、３種類の大きさ、形状の撮影画像データを生成する。なお、ここで設定される撮影画像データに係る画像の形状、大きさ等が本発明における「撮影画像形態」に相当し、予め設定された撮影画像形態に基づいて写真が撮影され、撮影画像（データ）が生成される。
【００２０】
撮影操作用タッチパネル２０は、公知のタッチパネルであり、表示機器として、カメラ１１０による撮影画像が表示されるとともに、入力機器としても、画像を選択する操作やシャッター操作等を受け付ける。これらの操作を示す信号は、操作信号として第１制御部７０に入力される。
【００２１】
その他、図示を省略するが、第１制御部７０には、カメラ１１０による撮影と連動して閃光するストロボ１１〜１４、プレイを許容するためのコインの投入を検出するコイン検出部などが電気的に接続されている。
【００２２】
次に、編集処理部８について説明する。この編集処理部８は、第２制御部８０を備えており、この制御部８０に、編集操作用タッチパネル４００、及び第２通信部８３が電気的に接続されている。第２制御部８０は、上記第１制御部７０とほぼ同様の構成であり、編集処理に関する全体の制御を行う。特に、第２制御部８０は、第１制御部７０から送られてきた撮影画像（一次画像）に係る撮影画像データを編集する機能を有し、操作信号に基づいて、後述するように、シート画像フォームや撮影画像の選択・決定、複数の撮影画像を配置したシート画像（初期シート画像）の生成、及びこのシート画像に対して落書き処理を行うなどによる出力用シート画像（二次画像）の生成などを行う。また、編集操作用タッチパネル４００に表示するシート画像、撮影画像などの表示すべき画像を決定する機能も有する。ここで、第２制御部８０、及び編集操作用タッチパネル４００が、本発明に係るシート画像フォーム選択部、特別一次画像決定部、制御部に相当する。
【００２３】
続いて、出力処理部９について説明する。出力処理部９は、第３制御部９０を備えており、この制御部９０に、ネットワークプリンタ１３５、非接触通信部１３２、アップロードルータ（図示省略）、及び第３通信部９５が電気的に接続されている。第３制御部９０は、第１及び第２制御部とほぼ同様の構成であり、出力処理に関する制御を行う。第３制御部９０は、第２制御部８０から送られてきた編集画像データをメモリに格納する。そして、この編集画像データは、ネットワークプリンタ３５により、写真シールまたは写真カードとして印刷されるほか、非接触通信部１３２を介して、携帯端末３００へ送信される。また、アップロードルータにより、編集画像データは、ネットワークＮＷを通じて外部の画像蓄積サーバに送信することもできる。
【００２４】
上述した各制御部７０，８０，９０において実行される上記所定のプログラムは、例えば、そのプログラムを記録したＤＶＤ−ＲＯＭ等の記録媒体や、通信回線によって提供され、補助記憶装置としてのハードディスク装置にインストールされる。
【００２５】
なお、上記第１から第３までの制御部７０，８０，９０は、異なる部位（撮影部３など）に内蔵される異なるコンピュータを含む装置に相当するものとして説明したが、このような構成は一例であって、上記第１から第３までの制御部７０，８０，９０は、２つ以下または４つ以上の装置により実現されてもよい。例えば、２つの制御部を設けておき、一方の制御部で撮影部３と出力部５を制御し、他方の制御部で編集部４を制御することもできる。そして、このような場合には各装置において、それぞれ実現されるべき機能に応じたプログラムが実行される。さらに、各制御部７０，８０，９０は、いずれの部位３，４，５に内蔵されていてもよく、例えば、すべての制御部を編集部４に内蔵していてもよい。また、撮影部３、編集部４、および出力部５は、物理的に３つに分かれているが、これを一つ又は二つのユニットとして構成することもできる。
【００２６】
＜３．編集操作用タッチパネルの具体的画面構成＞
上述したように、本実施形態に係る写真撮影遊戯装置は、後述するように、複数の撮影画像が配置された写真シートを出力するためのものであり、編集操作用タッチパネル４００では、写真シートを生成するための基準となるシート画像（図１５参照）に対して落書きを行うことができるようになっている。このとき、シート画像上の撮影画像に落書きを行えるほか、シート画像における撮影画像以外の領域にも落書きを行うことができる。以下、このような落書きのための編集操作用タッチパネル４００の画面構成について、図４及び図５を参照しつつ詳細に説明する。図４は編集操作用タッチパネル４００に表示される撮影画像編集用画面（第２編集態様）を示す模式図であり、図５は編集操作用タッチパネル４００に表示されるシート画像編集用画面（第１編集態様）を示す模式図である。後述するように、利用者は、上記２つの画面構成を切換えながら落書き編集を行い、出力用シート画像を生成する。まず、撮影画像編集用画面について説明する。
【００２７】
図４に示すように、この画面構成では、タッチパネル４００は、左右一対のスペースに区分けされ、２人の利用者がそれぞれ使用できるようになっている。タッチパネル４００の左側のスペースにおいては、タッチペン４９Ｌによる入力受け付けが可能となっており、右側のスペースにおいては、タッチペン４９Ｒによる入力受け付けが可能となっている。各スペースの上部中央には、撮影画像を表示し（仮想的な）落書きを行える矩形状の落書き領域４１Ｌ、４１Ｒが設けられている。落書き領域４１Ｌ、４１Ｒの下方には、利用者が落書きを行うためのツール、すなわち（選択された）撮影画像に対する編集指示のためのツールの集合であって使用可能に表示したものとしてのパレット４２Ｌ、４２Ｒが設けられている。そして、その側方には、それらパレット４２Ｌ、４２Ｒに含まれるツールの種類を切り替えるためのモード選択ボタン群４４Ｌ、４４Ｒが設けられている。これらモード選択ボタン群４４Ｌ、４４Ｒにより、パレットモードを例えば「ペン」、「スタンプ」、「フレーム」、および「背景」のいずれかに切り替えることができる。また、パレット４２Ｌ、４２Ｒの上部には、タブ４３Ｌ、４３Ｒが設けられており、タブを切り替えることによって多種類のアイテムの表示、選択が可能となっている。さらに、落書き領域４１Ｌ、４１Ｒの側方、つまり編集操作用タッチパネル４００の両端部には、パレット４２Ｌ、４２Ｒに含まれるツール以外で落書きに関する操作を行うためのボタン群４５Ｌ、４５Ｒがそれぞれ設けられている。その他、これらのボタン群４５Ｌ、４５Ｒには、例えば「らくがき終了」、「らくがき全消去」、「一つ戻る」、「元の顔に戻る」、「消しゴム」、「背景消しゴム」、「太いペン」、「中ぐらいのペン」、および「細いペン」というような機能を提供するボタンが含まれている。
【００２８】
また、この画面では、左右の利用者が共通に使用する構成要素が設けられている。例えば、両落書き領域４１Ｌ、４１Ｒの間の上部には、落書き時間の残り時間を表示するためのタイマー４６が設けられている。そして、このタイマー４６の下方には、複数の撮影画像を小さく一覧表示したサムネイル画像群４７が設けられており、このサムネイル画像群４７の中から選択された画像が落書き領域４１Ｌ，４１Ｒに表示される。さらに、サムネイル画像群４７の下方には、タブやアイテム等の選択が行われたときに当該選択されたものについての使用説明等を表示するためのガイド画面表示領域４８と、シート画像編集用の画面への切換を行う切換ボタン４０とが配置されている。これらのボタン等は、２本のタッチペン４９Ｌ，４９Ｒによる入力受け付けが可能となっている。
【００２９】
次に、シート画像編集用画面について説明する。図５に示すように、この画面構成では、タッチパネル４００の中央に、横長の矩形状の落書き領域５０が設けられ、この領域にシート画像が表示される。但し、シート画像は、横方向に長いため、落書き領域５０に全体を表示することができず、一部のみが表示されることがある。そのため、本例においては、落書き領域５０の両端部には、スクロールボタン５１が配置されており、このボタン５１をタッチペン４９Ｒ，４９Ｒで押下することで、落書き領域５０に表示されたシート画像を左右方向にスクロールすることができる。そして、落書き領域５０の上方には、シート画像の表示箇所を示す位置表示部５２が配置されている。この位置表示部５２には、シート画像の全体像がサムネイル画像として表示されるとともに、このシート画像のうち、落書き領域５０に表示されている箇所が矩形状の表示枠５３で囲まれている。したがって、上記スクロールボタン５１を押下することで、表示枠５３が左右に移動し、シート画像のうち、落書き領域５０に表示されている箇所が視認できるようになっている。また、位置表示部５２に表示されたサムネイル画像における表示枠５３の位置を、当該表示枠５３をタッチペン４９Ｌ，４９Ｒで押下して選択し、その状態で左右に移動させることもできる。この場合、表示枠５３の位置に応じて、この表示枠５３内のサムネイル画像に対応する範囲のシート画像がらくがき領域５０に表示される。なお、本例では、スクロールボタン５１、位置表示部５２および表示枠５３を備えているが、備えないような構成でもよく、その場合は、シート画像のすべての範囲が、らくがき領域５０に表示される。
【００３０】
また、この落書き領域５０の両側には、撮影画像編集用画面で示したような、「落書き終了」などのボタン５４がそれぞれ配置されている。そして、落書き領域５０の下方には、撮影画像編集用画面と同様に、一対のパレット５５、タブ５６、及びモード選択ボタン群５７が配置されており、２人の利用者が１枚のシート画像に対してタッチペン４９Ｒ，４９Ｌをそれぞれ使用して落書き編集を行えるようになっている。また、落書き領域５０とモード選択ボタン群５７との間には、撮影画像編集用画面との切換を行うための切換ボタン５８が配置されている。なお、各タッチペン４９Ｒ，４９Ｌによってなされた編集操作は、個別に編集履歴として、第２制御部８０のメモリや補助記憶装置に記憶することができる。例えば、タッチペン４９Ｒにより「戻る」ボタンや「進む」ボタンがタッチされた場合、タッチペン４９Ｌ用の編集履歴に記憶された編集操作の内容および順番に基づいて、編集処理が１つ前に戻ったり、１つ進められる。これにより、他の利用者、つまりタッチペン４９Ｌによって「戻る」ボタンや「進む」ボタンがタッチされても、タッチペン４９Ｒによってなされた編集処理が削除されたり、再現されたりするのを防止することができる。但し、このような制御を行わず、すべてのタッチペン（入力部）からの入力操作を１つの編集履歴の中に記憶し、いずれのタッチペンによる操作でも、１つの編集履歴に基づいて処理を行うように構成することもできる。
【００３１】
次に、落書きを行うツールが表示されたパレットの例について説明する。モード選択ボタン群５７の「落書きセット」を押下すると、パレット５５には、図６に示すように、撮影画像に付加する装飾画像の候補が表示される。図６（ａ）〜図６（ｃ）は、タブを切り替えることで、選択的に表示される落書きセットの例であり、各落書きセットには、複数の装飾画像の候補が表示されている（以下、これを輪郭用装飾画像ということがある）。図６（ａ）に示す装飾画像は、帯状に形成されており、シート画像上にある撮影画像の輪郭の上下の辺に配置するものである。図６（ａ）の例では、撮影画像の上辺及び下辺の両方に付加される装飾画像が６セット表示されており、パレット５５の左端部には装飾画像が付加される位置が説明されている。利用者は、いずれかの装飾画像をタッチペンでタッチして選択した後、これを付加したい撮影画像を選択する。すなわち、タッチペンによりタッチする。これにより、図７（ａ）に示す撮影画像に対し、図７（ｂ）に示すように撮影画像Ｐの上下の辺に沿って、その長さと同じ装飾画像Ｑが付加される。このとき、装飾画像は、撮影画像の外側に付加されるため、装飾画像は、後述するように、シート画像の落書き領域（図１５の領域Ｂ１〜Ｂ５を含む画像領域Ａ１〜Ａ８を除く領域）に付加される。
【００３２】
ここで、シート画像（図１５参照）上には、大きさの異なる複数の撮影画像が配置されているが、第２制御部８０は、選択された装飾画像が撮影画像の辺に適合するように、縮小または拡大を行った上で、シート画像上に表示する。また、図６（ｂ）の例は、撮影画像の上辺にのみ配置される装飾画像の候補を示している。さらに、図６（ｃ）の例は、撮影画像の左右の辺のいずれかに配置される装飾画像の例が示されている。いずれのパレットにも、左端部には装飾画像が付加される位置の説明が表示されている。また、図６（ｃ）に示すパレットの上部には、撮影画像の左右のいずれに装飾画像を配置するかを選択するための一対の位置ボタン５５１，５５２が配置されている。左ボタン５５１または右ボタン５５２を一旦押下すると、次にいずれかのボタンが押下されるまで、その設定が維持されるとともに、ボタンがハイライトされる。したがって、右ボタン５５２がハイライトされている状態で、装飾画像をタッチし、その後、撮影画像をタッチすると、撮影画像の右辺に沿って装飾画像が表示（配置）される。このとき、右辺用の装飾画像の少なくとも一部（例えば、文字画像（不図示）以外の部分）を反転させたものを表示させる。
【００３３】
図６（ｃ）に示す例では、位置ボタン５５１，５５２しか設けられていないが、装飾画像を撮影画像の上辺あるいは下辺に表示（配置）するための位置ボタンを設けてもよい。この場合、例えば右辺用の装飾画像（図６（ｃ）参照）の少なくとも一部を９０度あるいは２７０度回転させたものを表示させればよい。なお、上下左右の辺のそれぞれの長さが異なる場合は、装飾画像を配置する辺の長さに応じて、当該装飾画像の拡大あるいは縮小を行うこともできる。
【００３４】
また、上記パレットには、次のような装飾画像も用意されている。図８（ａ）に示すように、このパレット５５には、撮影画像上に線状に描かれる３つの線状装飾画像が表示されている。パレット５５の上側には、帯状テープを示す装飾画像と、いわゆる線ファスナーを表す装飾画像とが表示され、パレット５５の下側にはミシン目で切り離される帯状テープを表す装飾画像が表示されている。これら線状装飾画像はともに、タッチペン４９を撮影画像あるいはシート画像上で移動させることにより表示される。図８（ｂ）及び図８（ｃ）に示す帯状テープを選択したときの例では、タッチペン４９の移動とともに帯状テープがめくれるアニメーションが表示され、帯状テープがめくれた後には文字が表示される。また、図９（ａ）に示すように、線ファスナーを選択した場合には、タッチペンの移動とともに、線ファスナーが開いていくアニメーションが表示され、撮影画像またはシート画像上には、タッチペンの移動経路（入力ライン）Ｘを挟んで開いた線ファスナーが表示される。さらに、開いた線ファスナーの間には、文字が表示される。一方、ミシン目つき帯状テープを選択した場合には、タッチペンの移動とともに、タッチペンの移動経路Ｘに沿って帯状テープがミシン目から切り離されていくアニメーションが表示される。そして、図９（ｂ）に示すように、移動経路Ｘを挟んで、切り離された後の一対のミシン目が表示されるとともに、これらミシン目の間に文字が表示される。
【００３５】
このような装飾画像は、タッチパネル４００がタッチペンの移動経路Ｘを検出し、これに伴ってアニメーションを表示するとともに、タッチペンが通過した後の移動経路Ｘに装飾画像を上書きするように描画していく。すなわち、タッチペンの移動経路Ｘと、装飾画像が付加される部分が一致しているが、このようにすると、移動経路が複雑な場合には、編集部１０２のコンピュータに負荷がかかる。そこで、コンピュータの負荷を小さくするためには、例えば、タッチペンの移動経路にかかわらず、装飾画像を一定の方向に描画する方法がある。この方法では、タッチパネル４００によりタッチペンの移動経路Ｘを検出し、この移動経路Ｘの方向から装飾画像を描画する編集ラインを決定する。例えば、タッチペンの移動経路Ｘについて左右方向のみ検出することで、左右方向に延びる編集ラインＹを設定して装飾画像を描画することができる。具体的には、図１０に示すように、タッチペンが落書き領域の左端部にタッチされ、この位置から右側へタッチペンの先端をスライドさせると、たとえその移動経路Ｘが曲線状であったとしても、タッチパネルが検出した右方向への移動経路Ｘに基づいて、水平に延びる編集ラインＹを設定し、この編集ラインＹ上に装飾画像を描画する。これにより、タッチペンの移動経路Ｘに完全に沿った装飾画像やアニメーションを描画しなくてよく、予め決められた装飾画像を描画できるため、コンピュータの負荷を軽減することができる。なお、編集ラインＹの設定は、上述したものに限定されず、移動経路Ｘとの関連がある限り、種々の設定が可能である。また、この線状装飾画像は、タッチペンが最初にタッチされた位置からタッチペンがパネルから離れた位置までの間に描画することができる。
【００３６】
＜４  写真撮影遊戯装置における処理手順＞
上述したように、この写真撮影遊戯装置には、撮影部３、編集部４、及び出力部５が含まれている。撮影部３では撮影処理が行われ、編集部４では後述する落書き編集処理が行われ、出力部５では出力処理が行われる。なお、ある利用者が撮影部３でプレイしている時に他の利用者は編集部４でプレイし、さらに他の利用者は出力部５で編集画像を出力することができるように構成されている。すなわち、この写真撮影遊戯装置は、撮影処理と落書き編集処理と出力処理とを並行して行うことができる。以下に、上述した処理を順に説明する。
【００３７】
＜４．１  撮影処理＞
まず、撮影部３における撮影処理について、図１１を参照しつつ説明する。図１１は、本実施形態における撮影処理の処理手順を示すフローチャートである。この写真撮影遊戯装置が使用されていない時（プレイが行われていない時）には、撮影操作用タッチパネル２０にはデモ画像が表示されている。デモ画像の表示中に利用者がコイン投入口２６にコインを投入すると、プレイが開始される（ステップＳ１００）。
【００３８】
プレイが開始されると、第１制御部７０は、まず、テスト撮影を行い（ステップＳ１１０）、撮影された画像を撮影操作用タッチパネル１２０に表示する。タッチパネル１２０には、複数の画質（具体的にはコントラストが高いくっきりとした画質、柔らかなふんわりとした画質、または透明感のあるクールな画質のうちのいずれか）で表示された画像が表示され、利用者にいずれかの画質で本撮影を行うかを選択させる（ステップＳ１２０）。こうして、利用者による画質の選択を受け付けると、第１制御部７０は、以下に説明する３種類の形状（撮影画像形態）の撮影画像を得るための本撮影を行い、選択された画質に基づいて撮影画像となる撮影画像データを生成し、メモリに格納する。
【００３９】
３種類の本撮影は、次のように行われる。まず、通常の撮影画像の撮影が４回連続して行われる。ここでは、利用者は、図１２に示すように、タッチパネル１２０に表示された通常撮影フレーム１２１にリアルタイムに表示される画像を見ながら撮影を行う。こうして、４回の撮影による通常撮影画像データ（一次画像に係る画像データ）が生成され、メモリに格納される（ステップＳ１３０）。次に、顔だけをトリミングした小型撮影画像のための撮影を行う。この撮影にあたっては、タッチパネル１２０が撮影人数の入力を促す表示を行い、利用者から人数の入力を受け付ける。入力が受け付けられると、第１制御部７０は、図１３（ａ）に示すように、人数分の小型撮影フレーム１２２をタッチパネル１２０に表示するとともに（この例では２つの小型撮影フレーム）、この小型撮影フレーム１２２内に利用者の顔が入るように位置決めすることを促す表示（例えば、「一人ずつフレームの中に顔が入るように撮影してね」）を行う。利用者はこの表示に従い、リアルタイムにタッチパネル１２０に表示される顔が小型撮影フレーム１２２内に入るように位置決めする（すなわち、自ら移動するなどしてカメラに対する位置を決める）。こうして、小型撮影フレーム１２２内に各利用者の顔が入ると、カウントダウンが開始される。そして、カウントダウンの開始から所定時間が経過すると、撮影が行われ、小型撮影フレーム１２２に囲まれた範囲の画像を示す小型撮影画像データ（一次画像に係る画像データ）が生成される（ステップＳ１４０）。
【００４０】
このとき、公知の方法で、撮影範囲に含まれる複数の利用者の顔の検出を自動で行った後、撮影を行うことにより、検出した各顔を含む所定範囲の画像として小型撮影画像データをそれぞれ作成することもできる。この場合、利用者を小型撮影フレーム１２２に誘導する必要がなく、利用者の顔を含む小型画像データを確実に取得することができる。また、検出した各顔の数に応じた数の小型撮影フレーム１２２をタッチパネル１２０に表示するような構成とすることもできる。なお、小型撮影画像データに加えて、当該小型撮影画像データを生成した際にタッチパネル１２０に表示された画像の画像データ（顔部分がトリミングされていない画像データ）を生成するようにしてもよい。これにより、利用者はより多くの撮影画像を得ることができ、利用者の満足度を向上させることができる。
【００４１】
最後に、横長の画像を撮影して横長撮影画像を生成する。小型撮影画像の撮影と同様に、タッチパネル１２０には、図１３（ｂ）に示すような横長の横長撮影フレーム１２３が表示されるため、利用者は、この横長撮影フレーム１２３の中に顔が入るように位置決めを行う。その後、撮影を行い、フレーム１２２に囲まれた範囲の画像を示す横長撮影画像データ（一次画像に係る画像データ）を生成し、メモリに格納する（ステップＳ１５０）。こうして、３種類の本撮影が完了すると、タッチパネル１２０には、編集部１０３への移動を促す表示がなされる。また、生成された各撮影画像データは、編集部１０３に送られる。
【００４２】
＜４．２  編集処理＞
次に、編集部における落書き編集処理について、図１４を参照しつつ説明する。図１４は、本実施形態における落書き編集処理の手順を示すフローチャートである。第２制御部８０が所定のプログラムに基づき図１４に示すように動作することで、この落書き編集処理が実現される。
【００４３】
編集処理の説明に先立って、シート画像について説明する。シート画像の態様は種々のものがあるが、例えば、図１５に示すようなものがある。この例で、シート画像は、横長のシート画像フォームに８枚の撮影画像が配置されたものである。ここで、図１５（ａ）は初期シート画像の一例を示す図であり、図１５（ｂ）はシート画像における配置を説明する図である。シート画像には、撮影された画像が配置される複数の画像領域Ａ１〜Ａ８と、落書きを行うことができる複数の落書き領域Ｂ１〜Ｂ５とが設けられている。図１５（ａ）に示すように、第１〜第５画像領域Ａ１〜Ａ５には、通常撮影フレームに対応しており、通常撮影で撮影された画像が配置される。そのうち、第２〜第５画像領域Ａ２〜Ａ５には、撮影された４枚の画像がそれぞれ配置される。一方、第１画像領域Ａ１は他の領域よりも大きい特別画像領域であり、第２〜第５画像領域Ａ２〜Ａ５に配置された画像の中で利用者自身が選択した画像が配置される。この選択については後述する。また、第６及び第７画像領域Ａ６，Ａ７は、小型撮影フレームに対応しており小型撮影画像がそれぞれ配置される。さらに、第８画像領域Ａ８は、通常撮影フレームに対応しており、横長撮影画像が配置される。このような撮影画像が配置されたシート画像が初期シート画像（後述する落書き編集される前のシート画像）として、第２制御部８０によって生成され、後述するように編集操作用タッチパネル４００に表示される。なお、特別画像領域Ａ１は、通常撮影フレームによって撮影された画像に対応した画像領域であり、以下では、特別画像領域Ａ１に適合する撮影形態、つまり本実施形態では通常撮影に係る撮影画像データの形状、大きさ等を特別撮影画像形態と称することがある。また、特別画像領域が複数種存在する場合には、特別撮影画像形態も複数存在することになる。
【００４４】
なお、シート画像フォームは種々の形態があり、第２制御部８０のメモリや補助記憶装置（記憶部）には、画像領域及び落書き領域の形状、大きさ、数、位置のほか、背景のデザイン、色などが異なる複数種のシート画像フォームが記憶されている。また、図１５には横長のシート画像フォームの例を示しているが、シート画像フォームの形状はこれに限られない。例えば縦長や正方形、その他の形状であってもよいことはいうまでもない。そして、後述するように、シート画像を編集するとき、タッチパネル４００においては、シート画像の形状に応じて、当該シート画像の表示方向を変更することが好ましい。また、シート画像を、少なくとも１枚の撮影画像を含む背景画像と、当該背景画像に配置された１以上の撮影画像とで構成することもできる。この場合、背景画像に含まれる撮影画像（以下、「背景用撮影画像」という）は、撮影した７枚の撮影画像の中から選ばせたり、背景用撮影画像のための撮影を別途行わせたりすることができる。
【００４５】
続いて、図１４のフローチャートに戻って、落書き編集処理について説明を続ける。まず、第２制御部８０は、第１制御部７０から送られた撮影画像データを取得すると、撮影画像の背景の選択を受け付ける表示を編集操作用タッチパネル４００に表示する（ステップＳ２００）。ここでは、各撮影画像の背景の色、模様などの候補が複数示され、利用者はその中から１つを選択する。次に、シート画像フォームの選択を受け付ける表示が編集操作用タッチパネル４００に表示される（ステップＳ２１０）。ここでは、シート画像フォームが複数示され、利用者はその中から１つを選択する。なお、利用者が所定時間内に選択しない場合には、第２制御部８０が自動的に選択する。続いて、第２制御部８０は、シート画像の中の第１画像領域Ａ１に配置すべき画像を選択させる。すなわち、編集操作用タッチパネル４００に４枚の通常撮影画像（第１画像領域Ａ１の形状に対応する形状の画像：特別一次画像）を選択肢（特別一次画像候補）として表示させ、いずれかの選択を受け付ける（ステップＳ２２０）。このとき、利用者が所定時間内に選択しない場合には、第２制御部８０が自動的に画像を選択する。この選択の後、第２制御部８０は、選択されたシート画像フォームの画像領域Ａ１〜Ａ８に、通常撮影画像、小型撮影画像、及び横長撮影画像を配置した初期シート画像を生成する（ステップＳ２３０）。
【００４６】
次に、第２制御部８０は、タイマー４６を所定の時間（具体的には、落書きを許可する時間）に設定し、カウントダウンを開始するとともに、編集操作用タッチパネル４００に、図４に示す撮影画像編集用画面を表示し、各撮影画像の落書き編集を受け付ける（ステップＳ２４０）。このとき、サムネイル画像群４７には、７種類の撮影画像（４枚の通常撮影画像、２枚の小型撮影画像および１枚の横長撮影画像）のサムネイルがそれぞれ表示される。そして、これらの中から選択されたサムネイルに対応する撮影画像が落書き領域４１Ｌ，４１Ｒに表示される。利用者は、この落書き領域４１Ｌ，４１Ｒに表示された各撮影画像に対して、タッチペン４９Ｌ，４９Ｒそれぞれを使用して落書き処理を行う。具体的には、左側利用者が、落書き編集画面の所定箇所に配置された所定のツールアイコンをタッチペン４９Ｌでタッチすると、タッチしたツールアイコンに対応する落書き機能が実行可能な状態となる。そして、落書き領域４１Ｌに表示された各撮影画像に対してタッチペン４９Ｌでタッチすると、落書き領域４１Ｌに表示された撮影画像にはタッチペン４９Ｌで選択された落書き機能による落書き編集処理が行われる。これと同様に、右側の利用者により、落書き領域４１Ｒに表示された撮影画像に対して、タッチペン４９Ｒでの入力に基づいた落書き編集処理が行われる。
【００４７】
上記のように、編集操作用タッチパネル４００に、撮影画像編集用画面（図４参照）が表示されているとき、切換ボタン４０をタッチペン４９Ｌ，４９Ｒのうちのいずれかでタッチすると、画面が切り替わり、タッチパネル４００には、図５に示すシート画像編集用画面が表示される。そして、この画面の落書き領域５０には、上述した初期シート画像が表示される。このとき、既に、撮影画像の落書きが行われていれば、シート画像に表示される撮影画像は、撮影画像編集用画面で落書き処理が施されたものが表示される。利用者は、この画面において、表示されたシート画像のどの領域であってもタッチペン４９Ｌ，４９Ｒによる落書き処理を行うことができる（図１５参照）。すなわち、上述したような編集のためのツールを用い、文字、図形、絵のほか、各種装飾画像を付加することができる。なお、本例では、シート画像のどの領域においても落書き処理を受け付けるようにしたが、例えば、シート画像における撮影画像が配置されない領域（シート画像における、画像領域Ａ１〜Ａ８を除く落書き領域Ｂ１〜Ｂ５を含む領域）にのみ落書き処理を受け付けるようにすることもできる。
【００４８】
こうして、利用者は、タイマー４６の残り時間が０になる（または利用者が終了させる操作を行う）まで、両画面を切り換えつつ、落書きを行う（ステップＳ２５０においてＮｏ）。そして、タイマーの残り時間が０になるか、あるいは利用者が終了ボタンをタッチして自発的に落書きを終了させると（ステップＳ２５０においてＹｅｓ）、タッチパネルに「落書き終了」との表示がなされる。これと同時に、初期シート画像に対して落書き処理が施された出力用シート画像が生成される（ステップＳ２６０）。生成された出力用シート画像は、出力用シート画像データとしてメモリに保存され、編集処理が終了する。
【００４９】
なお、シート画像の落書き領域Ｂ１〜Ｂ５のうち、落書きが施されていない領域が１つでも存在する場合には、自動落書き処理を行うこともできる。例えば、タイマーの残り時間が０になったときに、第２制御部８０が、落書き処理が施されていない領域が存在すると判断した場合には、画面上に、自動落書きを行うか否かの選択を行う表示をする。そして、利用者が自動落書きを選択した場合には、落書きが施されていない領域に、予め設定されている文字、図形、絵などの落書きを施し、出力用シート画像を生成する。一方、自動落書きを選択しない場合には、次に説明する出力処理が行われる。
【００５０】
上記のように生成された出力用シート画像の画像データは、出力部１０４に送信され、写真シール等の印刷処理が行われる。また、出力部１０４の非接触通信部１３２から、編集画像データを携帯端末３００へ送信することもできる。あるいは、この画像データを、外部のサーバを介して利用者の携帯端末に送信することもできる。
【００５１】
＜４．効果＞
以上のように、本実施形態によれば、選択された装飾画像を、撮影画像の輪郭に沿って配置するため、撮影画像に対する装飾画像の位置決めを利用者が行う必要がない。したがって、撮影画像に装飾画像が付加された画像を容易に作成することができる。特に、装飾画像の位置決めを精度よく行うことができるため、装飾性の高い画像を生成することができる。その他、タッチペンの移動経路Ｘまたはこれに基づく編集ラインＹに沿って、装飾画像を付加することができるため、編集作業における娯楽性を高めることができる。
【００５２】
また、複数の撮影画像が配置された初期シート画像を表示する撮影画像編集用画面と、初期シート画像上の撮影画像を取り出して表示するシート画像編集用画面とを切換ながら、落書き編集処理を行うことができるため、利用者の嗜好に応じてより細やかな編集処理を行うことかできる。すなわち、初期シート画像には複数の撮影画像の他に落書き領域Ｂ１〜Ｂ５が配置されているため、各撮影画像は小さく、初期シート画像上の撮影画像を直接編集しようとすると、細かな編集が困難になるという問題がある。そこで、上記のように初期シート画像から撮影画像を取り出した撮影画像編集用画面に切り換えた上で、撮影画像の編集を行うと、細やかな編集を行うことができる。
【００５３】
また、第１画像領域（特別画像領域）Ａ１に配置すべき撮影画像（特別一次画像）は、この第１画像領域Ａ１と対応する撮影フレーム、つまり通常撮影フレームに基づいて撮影された画像の中から選択される。すなわち、すべての撮影画像を自動的にシート画像に配置するのではなく、一部については利用者が選択できるようにしている。したがって、利用者による写真選択の余地を高め遊戯性を向上することができる。その一方で、すべての撮影画像から第１画像領域Ａ１に配置する画像を選択させるのではなく、第１画像領域Ａ１と対応する形態、つまり通常撮影フレームで撮影された写真の撮影画像から選択を行わせるようにしている。すなわち、画像の選択を制限しているため、初期シート画像を作成するのに要する時間を短縮することができ、処理の効率化を実現することができる。なお、特別画像領域は複数設けることができる。
【００５４】
＜５．変形例＞
以上、本発明の一実施形態について説明したが、本発明は上記実施形態に限定されるものではなく、その趣旨を逸脱しない限りにおいて、種々の変更が可能である。例えば、初期シート画像の生成は、上述したものに限定されず、撮影画像は、位置、形状、大きさの変更など種々の配置が可能である。例えば、撮影画像はすべて矩形状に形成されているが、多角形状、円形状など輪郭の形状は特には限定されない。上記実施形態では、写真撮影遊戯装置が自動的に配置を決めているが、利用者が選択できるようにすることもできる。また、落書き領域Ｂ１〜Ｂ５の位置、形状、大きさも変更可能である。
【００５５】
また、上記実施形態では、シート画像編集画面においては、タッチパネル４００全体に一枚のシート画像を表示させ、これを２本のタッチペン４９Ｌ，４９Ｒを用いて編集を行わせるようにした。しかし、タッチパネル４００における左側のスペースおよび右側のスペースそれぞれに異なるシート画像を表示させることもできる。この場合、左側のスペースにおけるシート画像の編集は、タッチペン４９Ｌで行われ、右側のスペースにおけるシート画像の編集は、タッチペン４９Ｒで行われる。
【００５６】
上記実施形態では、輪郭用装飾画像は、予め配置されるべき位置が決められているが、利用者がこれを決定するように構成することもできる。例えば、装飾画像のアイコンをタッチした後、撮影画像の一辺、またはその近傍をタッチすると、その辺に装飾画像が付加されるようにしてもよい。また、輪郭用装飾画像は、撮影画像の輪郭が垂直または水平以外でも付加することができる。例えば、撮影画像の輪郭が多角形状である場合には、装飾画像を輪郭に沿って傾けた上で、これを撮影画像の輪郭に沿って貼り付けることができる。また、輪郭が曲線であっても、これに合わせて装飾画像を湾曲させる画像処理を行った上で、貼り付けることができる。さらに、輪郭の一辺に貼り付ける以外に、複数の辺に亘って貼り付けられるような装飾画像を準備しておくこともできる。また、一旦、装飾画像を付加した後、これをタッチペンを用いて移動させ、他の辺に付加することもできる。
【００５７】
上記実施形態では、撮影画像の外側、つまり落書き領域Ｂ１〜Ｂ５に輪郭用装飾画像を付加しているが、撮影画像の輪郭の内側に装飾画像を付加することもできる。また、落書き領域に装飾画像を付加するだけのスペースがない場合には、装飾画像を付加できない旨の表示をすることもできる。さらに、輪郭用装飾画像が付加された撮影画像に対して、もう一度装飾画像の付加を行った場合には、装飾画像が差し替えられるようにすることもできる。また、複数の撮影画像を選択した上で、装飾画像を選択すると、選択した撮影画像のすべてに装飾画像が付加されるように構成することもできる。
【００５８】
また、上記実施形態（図１５参照）では、大きくする写真画像を選ぶ際に、選んだ写真画像の配置予定領域（図１５の例では「第１画像領域Ａ１」）の形状と同じ形状の撮影画像から選ばせるようにしたが、これに限らない。例えば、配置予定領域と違った形状の撮影画像から選ばせることもできる。この場合、利用者の顔を少なくとも含むように、配置予定領域と同じ形状に写真画像をトリミングしたり、写真画像に所定の画像を追加して配置予定領域と同じ形状の画像としたりすればよい。
【００５９】
上記実施形態において、輪郭用装飾画像を付加する場合、撮影画像の輪郭によっては装飾画像の一部を削除したり、所定の画像を追加した状態で装飾画像の付加を行うが、例えば、図１６のようにすることができる。図１６（ａ）の例では、左から装飾画像、撮影画像、及び装飾画像が付加された撮影画像が表示されているが、装飾画像の長さに対して、撮影画像の上辺が長い場合、この上辺の長さに適合するように、装飾画像の構成要素を増やした上で、撮影画像への付加を行っている。この例では、構成要素である星の数を１つ増やしている。一方、図１６（ｂ）の例では、装飾画像の長さに対して、撮影画像の左辺が短いため、この左辺の長さに適合するように、装飾画像の構成要素を減らした上で、撮影画像への付加を行っている。この例では、構成要素である星の数を１つ減らしている。このように、輪郭用装飾画像を、一部の削除や画像の追加によって付加する場合には、上記のように、輪郭画像のデザインの特徴を維持するように、装飾画像の画像処理を行うことができる。「輪郭画像のデザインの特徴を維持する」とは、上記のように同じ種類の構成要素がある場合にその一部を増減させるほか、特徴部分を残して背景のみを削除したり、同種の背景を付加したりするなどの態様があり、要するに、利用者が選択した輪郭画像の外観が大きく改変されず、デザインの特徴の変化に気づきにくい程度に、画像を処理することを意味する。
【００６０】
上記実施形態では、特別画像領域が予め設定されたシート画像フォームを選択させ、選択されたシート画像フォームの特別画像領域と同じ形状を有する一次画像の中から特別一次画像を選択させるように構成されているが、次のようにすることもできる。例えば、まず、特別画像領域及び特別撮影画像形態を決定することなく、複数の撮影画像形態で写真の撮影を行う。このとき、各撮影画像形態に対応した画像領域を有するシート画像フォームは予め設定されている。そして、利用者には、編集操作タッチパネル４００において、まず、特別画像領域とすべき画像領域を選択させる。これに続いて、その画像領域に対応する撮影画像形態で撮影された複数の画像を表示させ、これら画像の中から特別画像領域に配置する画像を選択させる。このように、特別画像領域とすべき画像領域、つまり画像の選択が可能な画像領域を事後的に利用者によって選択させることもできる。この場合、上述した第２制御部８０、及び編集操作用タッチパネル４００が、本発明に係る特別画像領域決定部に相当する。
【００６１】
上記実施形態では、写真を撮影する際に、特別画像領域に配置すべき画像の候補を特定の撮影形態で撮影している。すなわち、上記の例では、３種類の撮影画像形態によって撮影を行い、この中の通常撮影に係る撮影形態を特別撮影画像形態として特別画像領域に配置する撮影画像に対応させている。しかしながら、これに限定されるものではなく、特別画像領域に配置すべき画像の候補を、撮影後に決定することもできる。例えば、複数の写真を撮影した後、これらの中のいくつかを選択し、画像処理することで、特定の大きさや、形状に変換し（例えばトリミング処理などを用いる）、その後、特別画像領域に配置すべき候補として、編集操作用タッチパネル４００に表示させることができる。このような画像処理は、装置が自動で行ったり、あるいはユーザに選択させることもできる。装置が自動で行う場合には、ランダムに候補画像を選択し、これを所定の形態に変換する処理が行われる。一方、ユーザが選択する場合には、候補画像の選択、特定の形状等に変換する画像処理の少なくとも一方をユーザに行わせることができる。このような処理は、上記第２制御部８０、及び編集操作用タッチパネル４００によって行われ、これが本発明に係る候補画像決定部に相当する。
【００６２】
また、予め決定されている特別画像領域に配置すべき撮影画像を、撮影画像形態に関わらず、撮影した写真に基づく撮影画像の中から、装置がランダムに選択し、編集操作タッチパネル４００に、特別一次画像候補として表示させることもできる。このとき、特別画像領域を事後的に決定し、その後、特別一次画像候補を装置がランダムに選択して表示させることもできる。
【符号の説明】
【００６３】
４９…タッチペン（入力部）
８０…第２制御部（制御部、画像処理部、特別一次画像決定部、候補画像決定部）
１１０…カメラ（撮影部）
４００…編集操作用タッチパネル（表示部、入力部）
【図１】
0005958047.tif 000002
【図２】
0005958047.tif 000003
【図３】
0005958047.tif 000004
【図４】
0005958047.tif 000005
【図５】
0005958047.tif 000006
【図６】
0005958047.tif 000007
【図７】
0005958047.tif 000008
【図８】
0005958047.tif 000009
【図９】
0005958047.tif 000010
【図１０】
0005958047.tif 000011
【図１１】
0005958047.tif 000012
【図１２】
0005958047.tif 000013
【図１３】
0005958047.tif 000014
【図１４】
0005958047.tif 000015
【図１５】
0005958047.tif 000016
【図１６】
0005958047.tif 000017